(57)【要約】【課題】本発明は、簡単に組み立てることができ、しかも効果的に水の浸入を防ぐことができる建築物の遮水装置を提供する。【解決手段】二本の側柱と、複数の遮水板とによって構成する。側柱の片側には結合溝が設けられ、結合溝内には防水棒部材と加圧部材が設けられ、側柱の内側端面には結合溝まで貫通する複数の螺合孔が設けられ、螺合孔にはボルト軸が螺合される。遮水板は、側柱の結合溝内に嵌設されるとともに、防水棒部材と加圧部材の間に配置され、遮水板の上方には突起した嵌合部が設けられ、遮水板の下方底部には凹溝が設けられ、複数の遮水板は各嵌合部と凹溝を相互に嵌合することにより所定の高さをもつ遮水壁を形成し、各ボルト軸を回転させることにより各加圧部材と防水棒部材は遮水板に密着する。【選択図】図１
2011256642.tif 000002
【特許請求の範囲】
【請求項１】
二本の側柱と、複数の遮水板とによって構成する建築物の遮水装置において、
側柱の片側には結合溝が設けられ、結合溝内には防水棒部材と加圧部材が設けられ、側柱の内側端面には結合溝まで貫通する複数の螺合孔が設けられ、各螺合孔にはそれぞれボルト軸が螺合され、
遮水板は、側柱の結合溝内に嵌設されるとともに、防水棒部材と加圧部材の間に配置され、遮水板の上方には突起した嵌合部が設けられ、遮水板の下方底部には凹溝が設けられ、
複数の遮水板は各嵌合部と各凹溝を相互に嵌合することにより所定の高さをもつ遮水壁を形成し、各ボルト軸を回転させることにより加圧部材と防水棒部材は遮水板に密着することを特徴とする、建築物の遮水装置。
【請求項２】
該側柱の防水棒部材は、鋸の歯形状の防水線を備えることを特徴とする、請求項１に記載の建築物の遮水装置。
【請求項３】
該遮水板底部の凹溝の両側の壁の底部には防水プレートが設けられることを特徴とする、請求項１に記載の建築物の遮水装置。
【請求項４】
該遮水板底部の凹溝内には、防水棒部材が嵌設されることを特徴とする、請求項１に記載の建築物の遮水装置。
【請求項５】
該遮水板底部の凹溝内に嵌設された防水棒部材は、鋸の歯形状の防水線を備えることを特徴とする、請求項４に記載の建築物の遮水装置。
【請求項６】
該側柱の外側には嵌合溝が設けられ、嵌合溝は嵌合柱と嵌合され、嵌合柱は建築物の二つの壁体に螺合されることを特徴とする、請求項１に記載の建築物の遮水装置。
【請求項７】
該嵌合柱と建築物の壁体の間には防水プレートが設けられることを特徴とする、請求項６に記載の建築物の遮水装置。
【請求項８】
該嵌合柱と建築物の壁体の間の防水プレートにはシリカゲルが用いられることを特徴とする、請求項７に記載の建築物の遮水装置。
【請求項９】
該二本の側柱の間には、少なくとも一本の中柱が設けられることを特徴とする、請求項１に記載の建築物の遮水装置。
【請求項１０】
該中柱の底部の下方には地面に埋められる固定板が設けられ、固定板の中央には位置決め構造が設けられ、中柱の底部に設けられた結合底台座の底端には位置決めブロックが設けられ、位置決めブロックは位置決め構造に対応することを特徴とする、請求項９に記載の建築物の遮水装置。
【請求項１１】
該位置決め構造は、弾性部材とアクティブ板とによって構成することを特徴とする、請求項１０に記載の建築物の遮水装置。
【請求項１２】
該遮水板の内側には背面補助装置が設けられることを特徴とする、請求項１に記載の建築物の遮水装置。
【請求項１３】
該背面補助装置は、主要管と支持管とによって構成し、主要管には圧迫部材が設けられ、主要管の底部の下方には、地面に埋め込まれる位置決め台座が設けられ、位置決め台座は、主要管の底部の連結フレームに嵌合され、支持管の底部の下方には、地面に埋め込まれる支持管台座が設けられ、支持管台座には位置決め溝が設けられ、支持管の末端は位置決め溝に対応する嵌合部を形成することを特徴とする、請求項１２に記載の建築物の遮水装置。
【請求項１４】
該位置決め溝は逆三角形であることを特徴とする、請求項１３に記載の建築物の遮水装置。
【請求項１５】
該位置決め台座上には蓋体が設けられることを特徴とする、請求項１３に記載の建築物の遮水装置。
【請求項１６】
該支持管台座上には蓋体が設けられることを特徴とする、請求項１３に記載の建築物の遮水装置。
【請求項１７】
該二本の側柱の上端面には、それぞれ基礎台座と圧迫装置が設けられることを特徴とする、請求項１に記載の建築物の遮水装置。
【請求項１８】
該基礎台座は、遮水板を通すためのレール溝を備え、レール溝の両側は斜面を形成し、斜面上方には遮断板が設けられ、遮断板前方底側には上方向に凹んでいる位置決め溝が設けられ、
圧迫装置は基板を備え、基板の底側は枠体を備え、枠体の両側はそれぞれ翼片を形成し、翼片は基礎台座の斜面と遮断板の間に挿入され、基板の底側には溝孔をもつ圧迫板が設けられ、基板前側の突起端部には調整スクリューが螺合され、調整スクリューのネジ体底側には、ネジ体より外径が小さいネジ柱が設けられ、ネジ柱は圧迫板の溝孔に穿設されてナットと螺合され、調整スクリューを回転させることにより圧迫板は遮水板を圧迫して各遮水板が相互に更に密着することを特徴とする、請求項１７に記載の建築物の遮水装置。
【請求項１９】
該基板の突起端部の付近にはナットが設けられ、該基板の突起端部の付近に設けられたナットには螺合部が設けられ、調整スクリューのネジ体上側には孔をもつリング部材が設けられ、該基板の突起端部の付近に設けられたナットの螺合部とリング部材は、施錠具により施錠されることを特徴とする、請求項１８に記載の建築物の遮水装置。
【請求項２０】
該遮水板をしまっておく時に、遮水板の左右両側には、遮水板を密封するための密封部材が設けられることを特徴とする、請求項１に記載の建築物の遮水装置。
【請求項２１】
遮水壁の最下方に配置された遮水板と、建築物の出入り口の地面の間には、平面の表面をもつ底台座が設けられることを特徴とする、請求項１に記載の建築物の遮水装置。
【発明の詳細な説明】
【技術分野】
【０００１】
本発明は、建築物に水が入ってくるのを防ぐことが可能な建築物の遮水装置に関する。
【背景技術】
【０００２】
一般的に、建築物には出入り口が設けられている。また、建築物の高さが一定の高さを超えると地下室が設けられることがあり、この地下室にも同様に出入り口が設けられる。このような出入り口にはドアを設置して他人が侵入してくるのを防ぐ。しかし、ドアには人の侵入を防ぐ効果はあるものの、洪水が発生したときに、水が入ってくるのを防ぐことはできず、建築物の財産の損失を招いてしまい、ときには命を落とすこともある。いくつかの業者は、洪水のときの水の侵入を防ぐための電動式のゲートを開発しているものの、価格が高すぎるため、一般の建築物のすべてに適用することはできず、しかも効果は限られている。従って、簡単に組み立てることができ、しかも効果的に水の浸入を防ぐことができる防水装置を開発することは、業者の大きな課題である。
【発明の概要】
【発明が解決しようとする課題】
【０００３】
そこで、本発明は、簡単に組み立てることができ、しかも効果的に水の浸入を防ぐことができる建築物の遮水装置を提供することを目的とする。
【課題を解決するための手段】
【０００４】
本発明による建築物の遮水装置は、二本の側柱と、複数の遮水板とによって構成する。側柱の片側には結合溝が設けられ、結合溝内には防水棒部材と加圧部材が設けられ、側柱の内側端面には結合溝まで貫通する複数の螺合孔が設けられ、螺合孔にはボルト軸が螺合される。遮水板は、側柱の結合溝内に嵌設されるとともに、防水棒部材と加圧部材の間に配置され、遮水板の上方には突起した嵌合部が設けられ、遮水板の下方底部には凹溝が設けられ、複数の遮水板は各嵌合部と凹溝を相互に嵌合することにより所定の高さをもつ遮水壁を形成し、各ボルト軸を回転させることにより各加圧部材と防水棒部材は遮水板に密着する。
【図面の簡単な説明】
【０００５】
【図１】本発明の遮水装置を示した分解斜視図である。
【図２】本発明の遮水装置を組み立てた状態を示した斜視図である。
【図３】本発明の遮水装置を建築物の出入り口に設置した状態を示した説明図である。
【図４】本発明の遮水装置を建築物の出入り口に設置した状態を示した説明図である。
【図５】本発明の遮水装置を建築物の出入り口に設置した状態を示した説明図である。
【図６】本発明の遮水装置を建築物の出入り口に設置した状態を示した説明図である。
【図７】本発明の側柱と嵌合柱を組み立てる際の動作を示した説明図である。
【図８】本発明の中柱を示した分解斜視図である。
【図９】本発明の中柱の一部を示した断面図である。
【図１０】本発明の背面補助装置を示した分解斜視図である。
【図１１】本発明の背面補助装置を示した側面図である。
【図１２】本発明の背面補助装置に遮水板を取り付けた状態を示した説明図である。
【図１３】本発明の背面補助装置の別の実施形態を示した説明図である。
【図１４】本発明の背面補助装置の別の実施形態を示した説明図である。
【図１５】本発明の背面補助装置の別の実施形態を示した説明図である。
【図１６】本発明の遮水装置の基礎台座と圧迫装置を示した分解斜視図である。
【図１７】本発明の遮水装置の基礎台座と圧迫装置を組み立てた状態を示した斜視図である。
【図１８】本発明の遮水装置の別の実施形態を示した斜視図である。
【発明を実施するための形態】
【０００６】
図１、図２に示すように、本発明による建築物の遮水装置１は、二本の側柱２と、複数の遮水板３とによって構成する。
【０００７】
側柱２は、建築物の二つの壁体にそれぞれ固定される。側柱２の片側は、結合溝２１を形成しており、結合溝２１内には防水棒部材２２と加圧部材２３が設けられ、側柱２の内側端面には複数の圧迫台座２４が間隔をあけて設けられ、圧迫台座２４には結合溝２１まで貫通する螺合孔２４１が設けられ、螺合孔２４１にはボルト軸２５が設けられ、ボルト軸２５は加圧部材２３に螺設され、ボルト軸２５を回転させることにより加圧部材２３は前後に移動する。側柱２の外側には嵌合溝２６が設けられ、嵌合溝２６内には防水プレート２７が貼設され、嵌合溝２６は嵌合柱２８と嵌合され、嵌合柱２８の外側には防水プレート２９が貼設される。なお、防水プレート２９は、防水強度を向上させるためにシリカゲルが用いられる。嵌合柱２８と防水プレート２９は、螺合部材によって建築物の出入り口の二つの壁或いは柱に螺合される。防水プレート２９を用いることにより、嵌合柱２８と建築物の出入り口の壁或いは柱は密閉状態になり、水が浸み込むのを防ぐことができる。また、本発明を使用しない時は、蓋体２０が嵌合柱２８に設けられ、きれいな外観を保つことができる。側柱２の防水棒部材２２は、鋸の歯形状の防水線２２１を形成し、防水棒部材２２が圧迫された時、防水線２２１の弾性変形により、さらに優れた防水效果を達成することができる。
【０００８】
遮水板３は、移動を便利にさせるため軽い材質からなる板体である。遮水板３の底側には、上方向に凹んでいる凹溝３１が設けられ、遮水板３の上方には突起した嵌合部３２が設けられ、複数の遮水板３の各凹溝３１と嵌合部３２を相互に嵌合させることによって、所定の高さをもつ遮水壁が形成される。遮水板３の凹溝３１の両側の壁の底部には防水プレート３３が設けられ、各遮水板３を複数重ね合わせた時の防水強度を向上させることができる。また、遮水壁の最下方に配置された遮水板３の凹溝３１内には防水棒部材３４が嵌設され、遮水壁の最下方に配置された遮水板３と建築物の出入り口の地面の間には、平面の表面をもつ底台座３５が設けられ、遮水壁の最下方に配置された遮水板３内の防水棒部材３４と底台座３５は密着する。また、防水棒部材３４は鋸の歯形状の防水線３４１を形成しており、遮水板３が底台座３５に当接した時、防水線３４１は圧迫されて弾性変形が生じ、更に優れた防水効果を発揮する。また、遮水板３の左右両側には密封部材３６が設けられ、密封部材３６は遮水板３の両側を密封し、遮水板３をしまっておく時に、遮水板３の内部に埃が入ったり、虫がわいたりするのを防ぐことができる。
【０００９】
本発明は、図３に示すように、建築物の出入り口の壁Ｗにおける対向する内壁Ｗ１の間、且つシャッターＦの外側に取り付けることができる（図の矢印は水圧の方向を示す）。或いは、本発明は、図４に示すように、建築物のシャッターＦが設置されている位置に合わせて、シャッターＦの内側に取り付けることができる。或いは、本発明は、図５に示すように、建築物の出入り口の壁Ｗの外壁Ｗ２間に取り付けることができる。或いは、本発明は、図６に示すように、建築物の外観に合わせて、一方を内壁Ｗ１に、他方を外壁Ｗ２に取り付けることができる。取り付けるときは、図７に示すように、まず、側柱２を嵌合柱２８に固定した後、遮水板３を、側柱２の結合溝２１内に嵌設する。そして、防水棒部材２２と加圧部材２３の間で複数の遮水板３を重ねることで遮水壁を形成させる。その後、ボルト軸２５を回転させると加圧部材２３は移動して遮水板３を圧迫し、それにより遮水板３は防水棒部材２２に当接し、遮水板３と側柱２の間は密閉される。それにより、水が浸み込むのを防ぐことができる。
【００１０】
図７に示すように、本発明による側柱２と嵌合柱２８を連結させるには、まず、嵌合柱２８を壁Ｗに固定し、その後、側柱２の嵌合溝２６の係合部２６１を嵌合柱２８の被係合部２８１に係合させる。この時、二つの係合部２６１の間隔は、二つの被係合部２８１の間隔より大きいため、嵌合溝２６の係合部２６１は嵌合柱２８の被係合部２８１にスムーズに係合させることができる。その後、螺合部材Ｓによって、相互に対応する螺合孔２６２、２８２を螺合すると、嵌合溝２６と嵌合柱２８の連結構造により、遮水板３が水圧で圧迫された時に、優れた支持力を発揮することができる。
【００１１】
また、図８に示すように、建築物の出入り口の幅が広い時には、遮水装置１の中間に、少なくとも一本の中柱４を設けることができる。中柱４は、中空のフレーム管４１の両側が延伸して結合溝４２を形成してなる。結合溝４２には、防水棒部材４３と加圧部材４４が設けられ、中柱４の内側端面には、複数の圧迫台座４５が間隔をあけて設けられる。圧迫台座４５には、結合溝４２まで貫通する螺合孔４５１が設けられ、螺合孔４５１にはボルト軸４５２が螺合され、ボルト軸４５２は加圧部材４４に螺合され、ボルト軸４５２を回転させると加圧部材４４は前後に移動する。中柱４の下方には、地面に埋められる固定板４６が設けられ、固定板４６の中央には位置決め構造４６１が設けられ、位置決め構造４６１は、弾性部材４６１１とアクティブ板４６１２とによって構成する。また、中柱４の結合底台座４１１の底端には位置決めブロック４１２が設けられ、位置決めブロック４１２は、位置決め構造４６１のアクティブ板４６１２上方に対応する。以上の構造により、中柱４が固定板４６上方に配置され下に圧力がかけられた時、図９に示すように、位置決めブロック４１２はアクティブ板４６１２を下に押し、それにより、位置決めと組み立ての効果が得られる。
【００１２】
また、図１０、図１１に示すように、背面補助装置５を設け、背面補助装置５により遮水板３の上端を下方向へ押すことで、重ねられた各遮水板３の相互の密着度を向上させることができる。背面補助装置５は、主要管５１と、伸縮可能な支持管５２とによって構成し、支持管５２は主要管５１の内側が延伸してなり、主要管５１には圧迫部材５３が嵌めこまれる。圧迫部材５３は枠体５３１によって主要管５１の外周面に嵌め込まれる。なお、圧迫部材５３は、まず、主要管５１上で上下に昇降させて位置を調整した後、螺合部材５３２を用いて、主要管５１の螺合孔５１１に螺合する。枠体５３１前部には固定部材５３３が設けられ、固定部材５３３の両側にはそれぞれボルト軸５３４が螺設され、二本のボルト軸５３４の底側は圧力部材５３５に固定される。なお、圧力部材５３５の下側は、遮水板３の上側の端部と対応するように内側に凹んだ形状を呈する。主要管５１の底部の下方には、位置決め台座５４が設けられ、位置決め台座５４は地面に埋め込まれる。位置決め台座５４の中央には嵌合孔５４１が設けられ、嵌合孔５４１内には係止部５４２が設けられる。位置決め台座５４の表面には蓋体５４３が設けられ、蓋体５４３の中央には、下方向に延伸する嵌合ブロック５４４が設けられる。なお、嵌合ブロック５４４を嵌合孔５４１内に嵌合することにより、蓋体５４３は位置決め台座５４に連結され、さらに、螺合部材５４７で螺合することにより、蓋体５４３は位置決め台座５４に固定される。蓋体５４３の片側には開蓋補助部５４５が設けられ、開蓋補助部５４５は位置決め台座５４の凹溝５４６に対応し、以上の構造により、蓋体５４３を簡単に開けることができる。また、位置決め台座５４は、主要管５１下方の連結フレーム５５に嵌合される。連結フレーム５５の下側には係合部材５５１が設けられ、係合部材５５１は、連結フレーム５５内のバネ５５２に嵌設された押し棒５５３によって制御されて前後に動く。連結フレーム５５は、位置決め台座５４の嵌合孔５４１内に嵌合される。その際、連結フレーム５５の下側の係合部材５５１を位置決め台座５４の係止部５４２に係合させることで、主要管５１の固定力を向上させることができる。また、主要管５１を位置決め台座５４から取り出したい時は、連結フレーム５５外側に露出している押し棒５５３を押すと、バネ５５２が圧迫されて収縮し、係合部材５５１は係止部５４２上から外れ、主要管５１を位置決め台座５４から取り出すことができる。また、支持管の底部の下方には、地面に埋め込まれる５６が設けられる。支持管台座５６には逆三角形の位置決め溝５６１が設けられ、支持管５２の末端は位置決め溝５６１に対応する嵌合部５２１を形成し、嵌合部５２１を逆三角形の位置決め溝５６１内に嵌合することで、背面補助装置５は優れた支持力を得ることができる。嵌合部５２１は延伸して固定板５２２を形成し、固定板５２２には螺合孔５２３が設けられ、支持管台座５６には螺合孔５６２が設けられ、螺合孔５２３と螺合孔５６２は螺合部材５２４で螺合される。また、支持管台座５６を使用していない時は、蓋体５６３で密封することができる。蓋体５６３には、下方向に延伸する嵌合ブロック５６４が設けられ、蓋体５６３の一側には嵌合溝５６５が設けられ、他側には開蓋補助部５６６が設けられる。嵌合溝５６５は、支持管台座５６の位置決め突起ブロック５６７に対応し、開蓋補助部５６６は支持管台座５６の凹溝５６８に対応する。以上の構造により、蓋体５６３を位置決め溝５６１の上方に取り付け螺合部材５６９で螺合した時、嵌合ブロック５６４は位置決め溝５６１内に嵌合され、蓋体５６３はしっかりと固定され、騒音が生じるのを防ぐことができる。
【００１３】
図１２に示すように、背面補助装置５を使用するときは、背面補助装置５を地面に固定した後、圧迫部材５３を適度の高さに調整して、圧迫部材５３の下側の圧力部材５３５を一番上の遮水板３の上端面に当接させ、その後、ボルト軸５３４を回転させて圧力部材５３５を下降させると、重ねられた複数の遮水板３の間の密着度が増すとともに、一番下の遮水板３も地面の底台座３５に密着し、それにより、重ねられた複数の遮水板３が形成する遮水壁の防水性が向上し、水が浸み込んでくる心配がなくなる。また、背面補助装置５は遮水板３の内側に設けられるため、遮水板３の支持力を増強し、遮水板３の横向きの強度を向上させ、遮水壁が崩れてしまうのを防ぐことができる。さらに、図１３に示すように、背面補助装置５の主要管５１には、第二支持管５２ａを増設することができ、第二支持管５２ａを設けることにより、背面補助装置５の支持力を向上させることができる。
【００１４】
図１４に示すように、背面補助装置５を使用するとき、支持管５２の代わりにワイヤー５７を用いることもできる。ワイヤー５７の一端は主要管５１の上方に固定され、他端にはワイヤー調整装置５７１が設けられる。ワイヤー調整装置５７１は、遮水板３外側の地面に固定され、ワイヤー調整装置５７１を回転させることで、ワイヤー５７の緩み具合を調整することができる。洪水の水が遮水板３を圧迫した時、ワイヤー５７は反対方向への支持力を提供し、洪水の水で遮水板３建築物内へ倒れてしまうのを防ぐ。
【００１５】
図１５に示すように、本発明による背面補助装置５を使用する時、主要管５１の上方に延長管５８を設けることができる。延長管５８上端面は延伸して凸部５８１を形成し、凸部５８１を天井Ｆに設けられた位置決め板５９に嵌合させることで、背面補助装置５の固定力を向上させることができる。
【００１６】
また、図１６に示すように、本発明による遮水装置１を使用するとき、一番上の遮水板３の両端を、基礎台座６と圧迫装置７によって下方向に圧迫することができる。基礎台座６は、矩形体であり、螺合部材６１によって側柱２の上側端に螺合される。基礎台座６の中間はレール溝６２を形成し、レール溝６２の幅は、遮水板３を通すことができる大きさである。レール溝６２の両側は斜面６３を形成し、遮水板３を嵌設する時にスムーズになる。斜面６３には遮断板６４が設けられ、遮断板６４の前方底側には上方向に凹んでいる位置決め溝６５が設けられる。圧迫装置７は基板７１を備え、基板７１の底側には圧迫板７２が設けられ、基板７１前側の突起端部には調整スクリュー７３が螺合され、基板７１の突起端部の付近にはナット７１１が設けられ、ナット７１１の前端は延伸して孔を備える螺合部７１２を形成する。また、圧迫板７２は、固定部材７２１によって基板７１底側の枠体７１３に固定される。枠体７１３の両側はそれぞれ延伸して翼片７１４を形成し、翼片７１４の前端には突起した凸縁７１５が設けられ、ナット７１１と対向する圧迫板７２の前端には、長い溝状の溝孔７２２が設けられ、溝孔７２２は、上が狭くて下が広い形状をしている。調整スクリュー７３のネジ体７３１上側にはリング部材７３２が設けられ、リング部材７３２には、孔７３２１が環状に間隔をあけて設けられ、ネジ体７３１はナット７１１に螺合される。ネジ体７３１底側には、外径がネジ体７３１より小さいネジ柱７３３が設けられ、ネジ柱７３３は、圧迫板７２の溝孔７２２に穿設されるとともに、ナット７３４と螺合され、それにより、調整スクリュー７３は圧迫板７２から外れなくなる。
【００１７】
基礎台座６は普段から予め側柱２の上端面に取り付けておき、洪水の心配が生じたときには、まず、複数の遮水板３を重ねて遮水壁を形成させた後、圧迫装置７の基板７１の翼片７１４を、基礎台座６の斜面６３と遮断板６４の間に挿入し、凸縁７１５を位置決め溝６５に嵌合させて圧迫装置７を固定する。続いて、調整スクリュー７３を回転させ、圧迫板７２を下降させると、圧迫板７２は下方の遮水板３を圧迫し、各遮水板３は相互に密着し、密封状態の遮水壁が形成される。図１７に示すように、下方向へ圧迫する力は、調整スクリュー７３のネジ体の長さと正比例するため、遮水板３の幅に応じて調整スクリュー７３の長さを調整し、遮水壁の密封度を確保する。また、ナット７１１前側には螺合部７１２が設けられ、調整スクリュー７３のネジ体７３１上側にはリング部材７３２が設けられ、螺合部７１２とリング部材７３２上には孔７３２１が設けられているため、施錠具（図示せず）を用いて施錠することができ、人に盗まれてしまうのを防ぐことができる。
【００１８】
最後に、図１８を参照する。建築物の出入り口の幅が広いとき、遮水装置１の中間に少なくとも一本の中柱４を設け、中柱４の上端面に基礎台座６を設け、さらに圧迫装置７を設けて遮水板３を下側に圧力をかけることにより、遮水板３の防水効果を更に高めることができる。
【符号の説明】
【００１９】
１      遮水装置
２      側柱        
２０    蓋体          
２１    結合溝              
２２    防水棒部材        
２２１  防水線
２３    加圧部材        
２４    圧迫台座
２４１  螺合孔        
２５    ボルト軸
２６    嵌合溝          
２６１  係合部
２６２  螺合孔        
２７    防水プレート
２８    嵌合柱          
２８１  被係合部
２８２  螺合孔        
２９    防水プレート
３      遮水板        
３１    凹溝          
３２    嵌合部
３３    防水プレート        
３４    防水棒部材
３４１  防水線      
３５    底台座
３６    密封部材
４      中柱        
４１    中空のフレーム管      
４１１  結合底台座
４１２  位置決めブロック      
４２    結合溝
４３    防水棒部材        
４４    加圧部材
４５    圧迫台座        
４５１  螺合孔
４５２  ボルト軸        
４６    固定板
４６１  位置決め構造    
４６１１弾性部材
４６１２アクティブ板    
５      背面補助装置        
５１    主要管          
５１１  螺合孔
５２    支持管        
５２１  嵌合部
５２２  固定板      
５２３  螺合孔
５２４  螺合部材    
５２ａ  第二支持管  
５３    圧迫部材      
５３１  枠体
５３２  螺合部材    
５３３  固定部材
５３４  ボルト軸        
５３５  圧力部材
５４    位置決め台座        
５４１  嵌合孔
５４２  係止部        
５４３  蓋体
５４４  嵌合ブロック        
５４５  開蓋補助部
５４６  凹溝        
５４７  螺合部材
５５    連結フレーム        
５５１  係合部材
５５２  バネ        
５５３  押し棒
５６    支持管台座      
５６１  位置決め溝
５６２  螺合孔        
５６３  蓋体
５６４  嵌合ブロック        
５６５  嵌合溝
５６６  開蓋補助部      
５６７  位置決め突起ブロック
５６８  凹溝        
５６９  螺合部材
５７    ワイヤー          
５７１  ワイヤー調整装置            
５８    延長管        
５８１  凸部
５９    位置決め板
６      基礎台座        
６１    螺合部材      
６２    レール溝  
６３    斜面          
６４    遮断板        
６５    位置決め溝
７      圧迫装置    
７１    基板          
７１１  ナット
７１２  螺合部      
７１３  枠体
７１４  翼片        
７１５  凸縁
７２    圧迫板          
７２１  固定部材
７２２  溝孔        
７３    調整スクリュー
７３１  ネジ体        
７３２  リング部材
７３２１孔      
７３３  ネジ柱
７３４  ナット
Ｆ      天井
Ｗ      壁        
Ｗ１    内壁          
Ｗ２    外壁
Ｓ      螺合部材
【図１】
2011256642.tif 000003
【図２】
2011256642.tif 000004
【図３】
2011256642.tif 000005
【図４】
2011256642.tif 000006
【図５】
2011256642.tif 000007
【図６】
2011256642.tif 000008
【図７】
2011256642.tif 000009
【図８】
2011256642.tif 000010
【図９】
2011256642.tif 000011
【図１０】
2011256642.tif 000012
【図１１】
2011256642.tif 000013
【図１２】
2011256642.tif 000014
【図１３】
2011256642.tif 000015
【図１４】
2011256642.tif 000016
【図１５】
2011256642.tif 000017
【図１６】
2011256642.tif 000018
【図１７】
2011256642.tif 000019
【図１８】
2011256642.tif 000020